(57)【要約】      （修正有）【課題】13-シス-クロセチンを多量に含有する色素製剤およびその製造方法の提供。【解決手段】13-シス-クロセチンを含む色素製剤であって、オール-トランス-クロセチンを含むかまたは含まず、オール-トランス-クロセチンを含む場合はHPLCによって分析したときのオール-トランス-クロセチンのピーク面積を１とした場合の13-シス-クロセチンのピーク面積が１以上である色素製剤。該13-シス-クロセチン高含有色素組成物は、13-シス-クロセチンおよびオール-トランス-クロセチンを含有する混合物をアルカリ条件下で溶解してクロセチン含有混合溶液を得る工程；該クロセチン含有混合溶液のｐＨをｐＨ7.0〜8.0に調整することによりオール-トランス-クロセチンを析出させる工程；および該析出したオール-トランス-クロセチンを除去して得られる。【選択図】なし【特許請求の範囲】
【請求項１】
１３−シス−クロセチンを含む色素製剤であって、オールートランス−クロセチンを含むかまたは含まず、オールートランス−クロセチンを含む場合は、ＨＰＬＣによって分析したときのオールートランス−クロセチンのピーク面積を１とした場合の１３−シス−クロセチンのピーク面積が１以上である、色素製剤。
【請求項２】
ＨＰＬＣによって分析したときのオールートランス−クロセチンのピーク面積を１とした場合の１３−シス−クロセチンのピーク面積が１以上１００００以下である、請求項１に記載の色素製剤。
【請求項３】
色価が１００以上３２０００以下である、請求項１または２に記載の色素製剤。
【請求項４】
前記１３−シス−クロセチンの含有量が０．０５重量％以上である、請求項１〜３のいずれか１項に記載の色素製剤。
【請求項５】
前記１３−シス−クロセチンの含有量が０．１重量％以上７５重量％以下である、請求項１〜４のいずれか１項に記載の色素製剤。
【請求項６】
粉末製剤である、請求項１〜５のいずれか１項に記載の色素製剤。
【請求項７】
液体製剤である、請求項１〜５のいずれか１項に記載の色素製剤。
【請求項８】
溶媒として水またはアルコールを含む、請求項７に記載の色素製剤。
【請求項９】
１３−シス−クロセチン高含有色素組成物の製造方法であって、
１３−シス−クロセチンおよびオール−トランス−クロセチンを含有する混合物をアルカリ条件下で溶解してクロセチン含有混合溶液を得る工程；
該クロセチン含有混合溶液のｐＨをｐＨ７．０〜８．０に調整することによりオール−トランス−クロセチンを析出させる工程；および
該析出したオール−トランス−クロセチンを除去して１３−シス−クロセチン高含有色素組成物を得る工程
を包含する、方法。
【請求項１０】
前記１３−シス−クロセチンおよびオール−トランス−クロセチンを含有する混合物が、
クロシン含有原料を溶媒で抽出してクロシン抽出液を得る工程；および
該クロシン抽出液またはその濃縮物中のクロシンを加水分解して１３−シス−クロセチンおよびオール−トランス−クロセチンを含有する混合物を得る工程
によって得られる、請求項９に記載の方法。
【請求項１１】
前記析出工程のｐＨが７．２〜７．８である、請求項９または１０に記載の方法。
【請求項１２】
請求項１〜９のいずれか１項に記載の色素製剤を飲食品または飲食品原料と混合して着色を行う工程を包含する、着色された飲食品の製造方法。
【請求項１３】
前記飲食品が中性飲食品である、請求項１２に記載の製造方法。
【請求項１４】
前記中性飲食品が乳飲料またはフラワーペーストである、請求項１３に記載の製造方法。
【請求項１５】
１３−シス−クロセチンを含む飲食品であって、オールートランス−クロセチンを含むかまたは含まず、オールートランス−クロセチンを含む場合は、ＨＰＬＣによって分析したときのオールートランス−クロセチンのピーク面積を１とした場合の１３−シス−クロセチンのピーク面積が１以上である、飲食品。
【請求項１６】
前記飲食品が中性飲食品である、請求項１５に記載の飲食品。
【請求項１７】
前記中性飲食品が乳飲料またはフラワーペーストである、請求項１６に記載の飲食品。
【発明の詳細な説明】
【技術分野】
【０００１】
本発明は、クチナシ色素の一種であるクロセチンを多量に含有する色素組成物およびその製造方法に関する。本発明は特に、溶解度の高い１３−シス−クロセチンを多量に含有する色素組成物およびその製造方法に関する。
【背景技術】
【０００２】
クチナシ果実由来のクチナシ色素は、黄色素として古くから用いられてきた。用途は主に中華麺であり、カップ麺やチルド焼きそば麺、ラーメン屋が用いる生中華麺などに使用されている。麺以外では、菓子類（例えば、クッキー、アメ、ガム、洋菓子、菓子パンなど）、チルド乳飲料にも使用される。酸性溶液では安定性が低い為、酸性飲料（レモン飲料など）には用いられない。クチナシ色素成分はカロテノイドの一種であり、その構造からクロシンタイプとクロセチンタイプとに分けられる（表１）。クロシンタイプの色素は、水溶性であり、クロシン（ｃｒｏｃｉｎ）を主成分とし、明るい黄色を呈する。クロセチンタイプの色素は、非水溶性であるがアルカリおよびアルコールには可溶であり、クロセチン（ｃｒｏｃｅｔｉｎ）を主成分とし、緑みのある黄色（レモンイエロー）を呈する。クロシンはクロセチン配糖体であり、それをアルカリ加水分解などで脱糖したものがクロセチンである。クチナシ果実にはクロシンの状態で存在する。
【０００３】
【表１】
2011168649.tif 000002
【０００４】
クロシンとクロセチンとでは若干色調が異なり、それが故にどちらもニーズがある。特に焼きそば麺では、クロセチンの色が好まれることがある。
【０００５】
中華麺は、かん水を用いるためアルカリ性である。クロシンは水溶性であり、クロセチンは非水溶性であるが、クロセチンもアルカリには溶解するため、かん水を用いた麺にはクロセチンを溶かして使用可能である。しかし、乳飲料などにはクロセチンが溶解しないためクロセチンを使用できない。さらに、クロセチンを中性または酸性の条件におくと色がアルカリ条件でのレモンイエローからオレンジがかった色へと変化するため、レモンイエローに着色するための色素として使用することができない。
【０００６】
クチナシ果実由来のクロシンを加水分解しクロセチンを得る方法が古来より知られている。このクロセチンはトランス−クロセチンをメインとし（７割以上）、高純度化方法などがから特許出願されている（例えば、特許文献１〜３）。
【０００７】
一般的に販売されているクロセチンタイプのクチナシ色素はオール−トランス−クロセチン（ａｌｌ−ｔｒａｎｓ−ｃｒｏｃｅｔｉｎ）がメインである。
【０００８】
さらに、クロセチンタイプのクチナシ色素に１３−シス−クロセチン（１３−ｃｉｓ−ｃｒｏｃｅｔｉｎ）があることは公知ではなかった。
【０００９】
クロセチンに関しては、特許文献１〜６が公知である。特許文献１は、精製クロシンまたはクロセチンを添加することを特徴とする麺類の安定な着色方法を開示している。特許文献１は、製法例２において、クチナシ果実抽出濃縮物を得、苛性ソーダでｐＨ１０とし、９５℃で１時間加熱後冷却し、塩酸でｐＨ３とし、沈澱した色素を加熱濾過により回収し、少量の水で洗浄後、苛性ソーダで中和し沈澱回収した色素を溶解させ賦形剤として乳糖を加え噴霧乾燥することにより精製クロセチンを得ることを記載している。
【００１０】
特許文献２は、粉末状クロセチン製剤の製造方法を開示している。特許文献２に記載されるクロセチンはオール−トランス−クロセチンであり、１３−シス−クロセチンではない。さらに、特許文献２に記載の方法では、クロシンを加水分解した後、反応液のｐＨを約４．０以下にすることにより、または酸で加水分解することにより、クロセチンを析出させ、遠心分離または濾過によりクロセチンを得ている。そのため、この方法で得られるクロセチンは主にオール−トランス−クロセチンであり、１３−シス−クロセチンが混入していたとしても２割未満である。
【００１１】
特許文献３は、クロセチンの精製方法を開示している。特許文献３に記載の方法は、植物抽出物中のクロシンを加水分解して得られるクロセチンを低級アルコール或いは低級アルコールを５０容量％以上含む混合溶剤で処理し、該溶剤の成分を除く工程を実施することを特徴としている。特許文献３に記載の方法で得られるクロセチンは主にオール−トランス−クロセチンであり、１３−シス−クロセチンが混入していたとしても２割未満である。
【００１２】
特許文献４は、クロセチンまたはその薬理学的に許容しうる塩を有効成分として含有することを特徴とする睡眠改善剤を開示している。特許文献４の００１１段落では、使用されるクロセチンの式が記載されており、この式は、このクロセチンがオール−トランス−クロセチンであって１３−シス−クロセチンではない。さらに、特許文献４の００１８段落ではクロセチンの純度が約７５質量％以上であることが好ましいことが記載されている。さらに、特許文献４に記載の方法では、クロシンを加水分解した後、反応液のｐＨを約４．０以下にすることにより、または酸で加水分解することにより、クロセチンを析出させ、遠心分離または濾過によりクロセチンを得ている。そのため、この方法で得られるクロセチンは主にオール−トランス−クロセチンであり、１３−シス−クロセチンが混入していたとしても２割未満である。
【００１３】
特許文献５は、クロセチンまたはその薬理学的に許容しうる塩を有効成分として含有することを特徴とする抗疲労剤および飲食品を開示している。特許文献５の００１０段落では、使用されるクロセチンの式が記載されており、この式は、このクロセチンがオール−トランス−クロセチンであって１３−シス−クロセチンではない。さらに、００１８段落ではクロセチンの純度が約７０質量％以上であることが好ましいことが記載されている。さらに、特許文献５に記載の方法では、クロシンを加水分解した後、反応液のｐＨを約４．０以下にすることにより、または酸で加水分解することにより、クロセチンを析出させ、遠心分離または濾過によりクロセチンを得ている。そのため、この方法で得られるクロセチンは主にオール−トランス−クロセチンであり、１３−シス−クロセチンが混入していたとしても２割未満である。
【００１４】
特許文献６は、クロセチンまたはその薬理学的に許容しうる塩を有効成分として含有することを特徴とする眼精疲労改善剤および飲食品を開示している。特許文献６の００１０段落では、使用されるクロセチンの式が記載されており、この式は、このクロセチンがオール−トランス−クロセチンであって１３−シス−クロセチンではない。さらに、００１８段落ではクロセチンの純度が約７０質量％以上であることが好ましいことが記載されている。さらに、特許文献６に記載の方法では、クロシンを加水分解した後、反応液のｐＨを約４．０以下にすることにより、または酸で加水分解することにより、クロセチンを析出させ、遠心分離または濾過によりクロセチンを得ている。そのため、この方法で得られるクロセチンは主にオール−トランス−クロセチンであり、１３−シス−クロセチンが混入していたとしても２割未満である。
【００１５】
このように従来のクロセチンに関する文献においては１３−シス−クロセチンは記載されておらず、しかも従来のクロセチンに混入していたとしてもその量はクロセチンタイプの黄色素のうちの２割未満と少ない。
【先行技術文献】
【特許文献】
【００１６】
【特許文献１】特開昭５４−０６４６５２号公報
【特許文献２】特開２００６−３３５８５９号公報
【特許文献３】特開２００４−２６９６６３号公報
【特許文献４】特開２００８−２７３９３９号公報
【特許文献５】ＷＯ２００６／１１２２８３号パンフレット
【特許文献６】特開２００７−３１４２６号公報
【発明の概要】
【発明が解決しようとする課題】
【００１７】
従来主に利用されていたクロセチンであるオール−トランス−クロセチンはアルカリ条件以外ではクロセチン特有のレモンイエローの色調を与えることが出来ないため、中性または酸性でもクロセチン特有のレモンイエローの色調を与えることのできる色素製剤を提供することが望まれていた。
【００１８】
さらに、オール−トランス−クロセチンは特に中性域および酸性域の水に対する溶解度が低く、色素として利用する場合、液体製剤の製造が不可能であった。それがゆえに液体を好まれる顧客のニーズに答えることができなかった。さらに、粉末製剤には粉舞などの問題があり、製造現場では液体製剤が好まれない場合がある。そのため、クロセチンを含む液体製剤を提供することが望まれていた。
【００１９】
本発明は、これらの問題点の解決を意図するものであり、クロセチンの液体製剤を提供すること、およびその製造方法を提供することを目的とする。
【課題を解決するための手段】
【００２０】
本発明者らは、上記課題を解決するために鋭意研究を重ねた結果、１３−シス−クロセチンはオール−トランス−クロセチンと比較して水溶性が高いこと、１３−シス−クロセチンとオール−トランス−クロセチンとが特定のｐＨ域の水への溶解度の差を利用して容易に分離できることを見出し、これに基づいて本発明を完成させた。
【００２１】
本発明の好適な実施形態によれば、以下の発明が提供される：
（項目１）  １３−シス−クロセチンを含む色素製剤であって、オールートランス−クロセチンを含むかまたは含まず、オールートランス−クロセチンを含む場合は、ＨＰＬＣによって分析したときのオールートランス−クロセチンのピーク面積を１とした場合の１３−シス−クロセチンのピーク面積が１以上である、色素製剤。
【００２２】
（項目２）  ＨＰＬＣによって分析したときのオールートランス−クロセチンのピーク面積を１とした場合の１３−シス−クロセチンのピーク面積が１以上１００００以下である、項目１に記載の色素製剤。
【００２３】
（項目３）  色価が１００以上３２０００以下である、項目１または２に記載の色素製剤。
【００２４】
（項目４）  前記１３−シス−クロセチンの含有量が０．０５重量％以上である、項目１〜３のいずれか１項に記載の色素製剤。
【００２５】
（項目５）  前記１３−シス−クロセチンの含有量が０．１重量％以上７５重量％以下である、項目１〜４のいずれか１項に記載の色素製剤。
【００２６】
（項目６）  粉末製剤である、項目１〜５のいずれか１項に記載の色素製剤。
【００２７】
（項目７）  液体製剤である、項目１〜５のいずれか１項に記載の色素製剤。
【００２８】
（項目８）  溶媒として水またはアルコールを含む、項目７に記載の色素製剤。
【００２９】
（項目９）  １３−シス−クロセチン高含有色素組成物の製造方法であって、
１３−シス−クロセチンおよびオール−トランス−クロセチンを含有する混合物をアルカリ条件下で溶解してクロセチン含有混合溶液を得る工程；
該クロセチン含有混合溶液のｐＨをｐＨ７．０〜８．０に調整することによりオール−トランス−クロセチンを析出させる工程；および
該析出したオール−トランス−クロセチンを除去して１３−シス−クロセチン高含有色素組成物を得る工程
を包含する、方法。
【００３０】
（項目１０）  前記１３−シス−クロセチンおよびオール−トランス−クロセチンを含有する混合物が、
クロシン含有原料を溶媒で抽出してクロシン抽出液を得る工程；および
該クロシン抽出液またはその濃縮物中のクロシンを加水分解して１３−シス−クロセチンおよびオール−トランス−クロセチンを含有する混合物を得る工程
によって得られる、項目９に記載の方法。
【００３１】
（項目１１）  前記析出工程のｐＨが７．２〜７．８である、項目９または１０に記載の方法。
【００３２】
（項目１２）  項目１〜９のいずれか１項に記載の色素製剤を飲食品または飲食品原料と混合して着色を行う工程を包含する、着色された飲食品の製造方法。
【００３３】
（項目１３）  前記飲食品が中性飲食品である、項目１２に記載の製造方法。
【００３４】
（項目１４）  前記中性飲食品が乳飲料またはフラワーペーストである、項目１３に記載の製造方法。
【００３５】
（項目１５）  １３−シス−クロセチンを含む飲食品であって、オールートランス−クロセチンを含むかまたは含まず、オールートランス−クロセチンを含む場合は、ＨＰＬＣによって分析したときのオールートランス−クロセチンのピーク面積を１とした場合の１３−シス−クロセチンのピーク面積が１以上である、飲食品。
【００３６】
（項目１６）  前記飲食品が中性飲食品である、項目１５に記載の飲食品。
【００３７】
（項目１７）  前記中性飲食品が乳飲料またはフラワーペーストである、項目１６に記載の飲食品。
【００３８】
特定の実施形態では、本発明の製造方法は、もともと存在するトランス−クロセチン成分と１３−シス−クロセチン成分を特定のｐＨで分離することを特徴としている。
【００３９】
例えば、クチナシ果実由来クロシンを加水分解してクロセチンを生成する。このクロセチンは一般に、１３−シス−クロセチンを１〜２割程度含有する。クロセチン含有物のｐＨを特定の値に調整することで、１３−シス−クロセチンとオール−トランス−クロセチンとの中性域および弱酸性域の水への溶解度の差を利用して１３−シス−クロセチンを分離することができる。このようにして例えば、１３−シス−クロセチン：オール−トランス−クロセチン＝８：２程度の混合物を得ることができる。その混合物にデキストリン等副剤を添加して粉末化することにより色素粉末を提供することもできる。
【００４０】
１３−シス−クロセチンはオール−トランス−クロセチンを主成分とする色素製剤よりも高い、中性域の水への溶解度を示す。
【発明の効果】
【００４１】
本発明により、アルカリ性以外の条件下でもクロセチン特有のレモンイエローに着色し得る色素製剤を提供することが可能になった。
【００４２】
本発明により、クロセチンの液体製剤が可能になった。１３−シス−クロセチンは中性域の水への溶解度が高いために、色素製剤製造および色素としての用途での使い勝手が良い。
【００４３】
本発明の製法は、通常の手法では得られない方法であり、独自の特殊製法である。特に、特定のｐＨの水への溶解度の差を利用して１３−シス−クロセチンとオール−トランス−クロセチンとを分離する方法は、安価であり、かつ工業規模で実施しやすく、工業的生産に適している。
【００４４】
１３−シス−クロセチンは、クチナシ色素の個性（物性など）を特徴付ける重要な物質であった。具体的には、オール−トランス−クロセチンと比較して、水への溶解性が高く、色調が異なる。
【００４５】
本発明の１３−シス−クロセチン高含有クロセチン色素製剤は、オール−トランス−クロセチンの含量と比較して１３−シス−クロセチンの含量が高く、中性域の水への溶解度が高く、中性でも溶解して、クロセチンに特有のレモンイエローに着色し得ることが特徴である。市場にあるクロセチン色素製剤はトランス−クロセチンを主成分とする。
【図面の簡単な説明】
【００４６】
【図１】図１は、実施例１において段階ａでのｐＨ７．５で製造した１３−シス−クロセチン高含有クロセチン粉末のＨＰＬＣチャートを示す。
【図２】図２は、ＨＰＬＣによって分取されたピーク２の化合物を再度ＨＰＬＣによって測定した場合のＨＰＬＣチャートを示す。
【図３】図３は、着色試験２での結果を示す写真である。（１）黄色のみ：マリーゴールド色素製剤；（２）黄色のみ：クロシン色素製剤；（３）黄色のみ：１３−シス−クロセチン高含有クロセチン粉末；（４）黄色のみ：紅花色素製剤；（５）青色添加：マリーゴールド色素製剤；（６）青色添加：クロシン色素製剤；（７）青色添加：１３−シス−クロセチン色素製剤；（８）青色添加：紅花色素製剤；（９）黄色のみ：オール−トランス−クロセチン高含有色素製剤；（１０）黄色のみ：１３−シス−クロセチン高含有色素製剤；（１１）牛乳のみ。
【図４】図４は、小麦粉着色試験の結果を示す写真である。（Ａ）は粉末かん水ありの場合の着色を示し、（Ｂ）は粉末かん水なしの場合の着色を示す。（１）オール−トランス−クロセチン高含有色素製剤、（２）１３−シス−クロセチン高含有色素製剤、（３）クロシン色素製剤。
【図５】図５は、フラワーペースト着色試験の結果を示す写真である。（１）オール−トランス−クロセチン高含有色素製剤、（２）１３−シス−クロセチン高含有色素製剤。
【発明を実施するための形態】
【００４７】
以下、本発明を詳細に説明する。
【００４８】
（定義）
本明細書中では、用語「クロシン」とは、以下の式１において、Ｒ１およびＲ２がゲンチオビオースである化合物をいう：
【００４９】
【化１】
2011168649.tif 000003
【００５０】
本明細書中では、用語「オール−トランス−クロセチン」とは、以下の式２によって示される化合物をいう：
【００５１】
【化２】
2011168649.tif 000004
【００５２】
本明細書中では、用語「１３−シス−クロセチン」とは、以下の式３によって示される化合物をいう：
【００５３】
【化３】
2011168649.tif 000005
【００５４】
本明細書中では、用語「色価」とは、色素の色の濃さを表す単位であり、吸光度計にて信頼性のある濃度範囲でＫｏｌｔｈｏｆｆ氏緩衝液（５０ｍＭ  Ｎａ２ＣＯ３−５０ｍＭ  Ｎａ２Ｂ４Ｏ７，ｐＨ１０．０）中で１ｃｍのセルを用いて測定した時の極大吸収波長の吸光度を１０重量％溶液での値に換算した値のことをいう。この色価は、以下の記号によって示すことができる：
【００５５】
【数１】
2011168649.tif 000006
【００５６】
本明細書中では、この色価を「色価Ｅ（１０％，１ｃｍ）」または「色価」と示す。
【００５７】
本明細書中では、精製手順に関連して使用される用語「ケーキ」とは、不溶物を含む溶液を濾過したときに濾紙、フィルター等の上に残る残渣のことをいう。濾過は減圧などを行わない濾過であってもよく、減圧濾過であってもよい。
【００５８】
（１．クロセチンの原料）
クロセチンは、通常天然の状態では、その配糖体クロシンとして植物体に含まれる。クロシン含有原料としては、クロシンを含む任意の植物体が使用され得る。好ましくは、クロシン含有原料は、アカネ科クチナシ（Ｇａｒｄｅｎｉａ  ｊａｓｍｉｎｏｉｄｅｓ  Ｅｌｌｉｓ、Ｇａｒｄｅｎｉａ  ａｕｇｕｓｔａ  Ｍｅｒｒｉｌとも呼ばれる）およびその近縁種の果実、サフランの柱頭などである。クチナシの果実、サフランの柱頭などは通常乾燥物として市販されている。クチナシの乾燥果実は容易に入手可能であり、安価であることから、クロシン含有原料としてクチナシの乾燥果実を用いることが好ましい。抽出が容易なことから、クロシン含有原料は小片化、粉砕または粉末化されることが好ましい。
【００５９】
（２．本発明の１３−シス−クロセチンの製造方法）
好ましい実施形態では、本発明の製造方法は、１３−シス−クロセチン高含有色素組成物の製造方法であって、１３−シス−クロセチンおよびオール−トランス−クロセチンを含有する混合物をアルカリ条件下で溶解してクロセチン含有混合溶液を得る工程；該クロセチン含有混合溶液のｐＨをｐＨ７．０〜８．０に調整することによりオール−トランス−クロセチンを析出させる工程；および該析出したオール−トランス−クロセチンを除去して１３−シス−クロセチン高含有色素組成物を得る工程を包含する。
【００６０】
別の実施形態では、本発明の製造方法は、１３−シス−クロセチン含有色素製剤の製造方法であって、クロシン含有原料を溶媒で抽出してクロシン抽出液を得る工程；該クロシン抽出液またはその濃縮物中のクロシンを加水分解してクロセチン含有混合溶液を得る工程；該クロセチン含有混合溶液からオール−トランス−クロセチンを除去することにより１３−シス−クロセチン含有色素製剤を得る工程を包含する。
【００６１】
好ましい実施形態では、この方法において、前記クロセチン含有混合溶液からのオール−トランス−クロセチンの除去が、ｐＨ７．２〜７．８において該クロセチン含有混合溶液からオール−トランス−クロセチンを析出させることにより行われる。
【００６２】
さらに好ましい実施形態では、前記クロセチン含有混合溶液からのオール−トランス−クロセチンの除去が、該クロセチン含有混合物を含む液のｐＨを１２．０以上にし、次いで該クロセチン含有混合溶液と酸とを混合して該クロセチン含有混合溶液のｐＨを７．２〜７．８にしてオール−トランス−クロセチンを析出させ、次いで該析出したオール−トランス−クロセチンを該クロセチン含有混合溶液から除去することによって行われる。
【００６３】
別の実施形態では、本発明の方法は、１３−シス−クロセチン含有色素製剤の製造方法であって、クロシン含有原料を溶媒で抽出してクロシン抽出液を得る工程；該クロシン抽出液またはそのクロシン濃縮液とアルカリとを混合してｐＨ１２．０〜１２．５のアルカリ性混合液を得る工程；該アルカリ性混合液を２〜４０時間攪拌することにより該アルカリ性混合液中のクロシンを加水分解してクロセチンにして第一のクロセチン含有アルカリ性混合液を得る工程；該第一のクロセチン含有アルカリ性混合液と酸とを混合して混合液のｐＨを２．８〜３．２にすることによりクロセチンを析出させる工程；該クロセチンを濾別してクロセチンケーキを得る工程；該クロセチンケーキと水とアルカリとを混合してｐＨ１２．０以上の第二のクロセチン含有アルカリ性混合液を得る工程；該第二のクロセチン含有アルカリ性混合液に酸を添加してｐＨ７．２〜７．８にすることによりオール−トランス−クロセチンを析出させてクロセチン含有弱アルカリ性混合液を得る工程；該クロセチン含有弱アルカリ性混合液を濾過して濾液を回収することにより１３−シス−クロセチン高含有濾液を得る工程；および該１３−シス−クロセチン高含有濾液を乾燥することにより１３−シス−クロセチン含有色素組成物を得る工程を包含する。
【００６４】
各工程をより詳細に説明する。
【００６５】
（２．１  クロシンの抽出）
まず、クロシン含有原料からクロシンが抽出される。クロシンは、当該分野で公知の任意の方法に従ってクロシン含有原料から抽出され得る。好ましくは、クロシン含有原料は溶媒で抽出される。溶媒としては、水、アルコールまたはそれらの混合液が用いられ得る。アルコールの例としては、エタノールなどが挙げられる。溶媒は水または含水アルコールであることが好ましい。含水アルコールのうちのアルコールの割合は、製造設備、製造条件などに合わせて任意に設定され得る。例えば、約１０容積％以上、約３０容積％以上、約５０容積％以上などであり得る。含水アルコールのうちのアルコールの割合は、例えば、約９５容積％以下、約８０容積％以下、約６０容積％以下などであり得る。含水アルコールは、含水エタノール（エタノール水溶液）であることが好ましい。
【００６６】
クロシン含有原料は、生の状態の植物体であってもよいし、部分的またはほぼ完全に乾燥させた植物体であってもよい。抽出に用いられる植物材料は、好ましくは、小片化、粉砕または粉末化される。
【００６７】
クロシン含有原料を溶媒と接触させることにより、溶媒中にクロシンが抽出される。抽出条件は、使用する溶媒によって適切に選択され得る。例えば、抽出溶媒として含水アルコールを用いる場合、溶媒の温度は、製造設備、製造条件などに合わせて任意に設定され得る。例えば、約０℃以上、約１０℃以上、約２０℃以上などであり得る。例えば、抽出溶媒として含水アルコールを用いる場合、溶媒の温度は、例えば、約１００℃以下、約８０℃以下などであり得る。溶媒として水を使用する場合、熱水であることが好ましい。一般に、クロシンが分解せず、溶媒が急速に揮発するような条件でない限り、溶媒の温度が高いほど抽出は促進される。そのため、溶媒の温度は出来る限り高いことが好ましい。クロシン抽出中は、クロシン含有原料と溶媒との混合物を連続的または断続的に攪拌することが好ましい。
【００６８】
抽出時間は、製造設備、製造条件などに合わせて任意に設定され得る。抽出時間は、例えば、約３０分間以上、約１時間以上などであり得る。抽出時間は、例えば、約２４時間以下、約１２時間以下、約３時間以下などであり得る。好適な抽出時間は抽出温度によって変化し得る。例えば、抽出温度が約５０〜７０℃の場合、抽出時間は、例えば、約３０分間以上、約１時間以上などであり得る；抽出時間は例えば、約１２時間以下、約３時間以下、約２時間以下などであり得る。抽出操作は１回であってもよく、複数回行ってもよい。新たな溶媒を用いて抽出を複数回行うことが好ましい。抽出を複数回行った場合には、得られた複数の抽出液を合わせて次の工程で使用することができる。
【００６９】
本発明において用語「抽出物」とは、クロシン含有原料から抽出することによって得られる液体またはその乾燥物をいう。抽出物が液体の場合、抽出液ともいう。抽出物は例えば、クロシン含有原料を任意の液体溶媒と接触させることによって得られる。通常、抽出物においては、クロシン含有原料中の１種以上の抽出成分の、非抽出成分に対する比が、天然のクロシン含有原料中での該抽出成分の、非抽出成分に対する比よりも高い。抽出物は、液体溶媒中に抽出成分が移行することによって得られた溶液であってもよいし、この溶液の溶媒を一部またはほぼ完全に蒸発させることによって得られる濃縮物または乾固物であってもよい。抽出物は、液体であっても固体であってもよい。
【００７０】
このようにして得られたクロシン含有抽出液は、そのまま次の工程で使用されてもよく、濃縮されてから使用されてもよく、あるいは濃縮乾固され、使用時に適切な溶媒に溶解されてもよい。溶解のための溶媒としては、クロシンの抽出に用いられ得る溶媒と同じ溶媒（例えば、水、アルコールまたはそれらの混合物など）が使用され得る。クロシン含有抽出液は、減圧濃縮されることが好ましい。
【００７１】
（２．２  クロシンの加水分解）
次いで、クロシン含有抽出液中のクロシンが加水分解される。加水分解は、当該分野で公知の任意の方法に従って行われ得る。クロシンの加水分解は、例えば、アルカリ、酸、加水分解酵素などを使用することにより行われ得る。従来公知の任意のアルカリ、酸、加水分解酵素などを使用することができ、好ましくは食品または食品製造に使用可能なものを使用する。ここで、酸とは、純水に溶解した場合に酸性水溶液が得られる物質をいう。クロシンの加水分解に使用され得る酸の例としては、塩酸、硫酸、リン酸などが挙げられる。クロシンの加水分解に使用され得るアルカリの例としては、水酸化カリウム、水酸化ナトリウム、炭酸ナトリウム、炭酸カリウムなどが挙げられる。ここで、アルカリとは、純水に溶解した場合にアルカリ性水溶液が得られる物質をいう。クロシンの加水分解に使用されるアルカリは、純水に溶解した場合に得られる水溶液のｐＨがクロシンの加水分解に適切なｐＨ（例えば、ｐＨ９．５以上）になる物質であることが好ましい。酸、アルカリまたは加水分解酵素は、クロシン含有抽出液とそのまま混合してもよく、または適切な溶媒（例えば、水、アルコールまたはそれらの混合物など）に溶解または分散させてから混合してもよい。安価であることから、アルカリまたは酸を使用することが好ましく、アルカリを使用することがさらに好ましい。加水分解の際には攪拌を行うことが好ましい。
【００７２】
クロシンをアルカリによって加水分解する場合、クロシン抽出液とアルカリとを混合することにより、アルカリ性混合液が得られる。アルカリ性混合液のｐＨは、例えば、約１１．０以上、約１２．０以上などであり得る。アルカリ性混合液のｐＨは、例えば、約１４．０以下、約１３．０以下などであり得る。アルカリ性混合液中でクロシンの加水分解が進行する。加水分解を行う温度および時間は任意に設定され得る。例えば、加水分解の温度（すなわち、アルカリ性混合液の温度）は、製造設備、製造条件などに合わせて任意に設定され得る。加水分解の温度は、例えば、約１０℃以上、約２０℃以上などであり得る。加水分解の温度（すなわち、アルカリ性混合液の温度）は、例えば、約７０℃以下、約５０℃以下などであり得る。一般に、クロシンが分解せず、溶媒が急速に揮発するような条件でない限り、アルカリ性混合液の温度が高いほど分解は促進される。そのため、溶媒の温度は出来る限り高いことが好ましい。アルカリによる加水分解を行う時間は、製造設備、製造条件などに合わせて任意に設定され得る。加水分解の時間は、例えば、約１時間以上、約３時間以上、約１０時間以上などであり得る。アルカリによる加水分解を行う時間は、例えば、約４８時間以下、約２４時間以下などであり得る。アルカリ性混合液を所定の時間攪拌／静置することによりこのアルカリ性混合液中のクロシンが加水分解されてクロセチンとなり、第一のクロセチン含有アルカリ性混合液が得られる。
【００７３】
クロシンを酸によって加水分解する場合、クロシン抽出液と酸とを混合することにより、酸性混合液が得られる。酸性混合液のｐＨは、例えば、約１．０以上、約２．０以上、約３．０以上などであり得る。酸性混合液のｐＨは、例えば、約４．０以下、約３．０以下などであり得る。酸性混合液中でクロシンの加水分解が進行する。加水分解を行う温度および時間は任意に設定され得る。例えば、加水分解の温度（すなわち、酸性混合液の温度）は、製造設備、製造条件などに合わせて任意に設定され得る。加水分解の温度は、例えば、約１０℃以上、約２０℃以上などであり得る。加水分解の温度（すなわち、酸性混合液の温度）は、例えば、約７０℃以下、約５０℃以下などであり得る。一般に、クロシンが分解せず、溶媒が急速に揮発するような条件でない限り、酸性混合液の温度が高いほど分解は促進される。そのため、溶媒の温度は出来る限り高いことが好ましい。酸による加水分解を行う時間は、製造設備、製造条件などに合わせて任意に設定され得る。加水分解の時間は、例えば、約１時間以上、約３時間以上、約１０時間以上などであり得る。酸による加水分解を行う時間は一般に、例えば、約４８時間以下、約２４時間以下などであり得る。酸性混合液を所定の時間攪拌／静置することによりこの酸性混合液中のクロシンが加水分解されてクロセチンとなり、クロセチン含有酸性混合液が得られる。
【００７４】
クロシンを加水分解酵素によって加水分解する場合、クロシン抽出液と加水分解酵素とを混合することにより、クロシン−加水分解酵素混合液が得られる。クロシン−加水分解酵素混合液のｐＨは、加水分解酵素の至適ｐＨに合わせて設定されることが好ましい。加水分解酵素としては、クロシンの糖部分を分解し得る加水分解酵素であれば任意の加水分解酵素が使用され得る。このような加水分解酵素の例としては、β−グルコシダーゼが挙げられる。クロシンの糖部分を分解し得る市販の任意の加水分解酵素を使用し得る。アルカリ性領域に至適ｐＨがある加水分解酵素を使用することが好ましい。例えば、加水分解酵素としてβ−グルコシダーゼを使用する場合、ｐＨは、例えば、使用するβ−グルコシダーゼの反応至適ｐＨ±１．０の範囲、その反応至適ｐＨ±０．５の範囲、その反応至適ｐＨ±０．１の範囲、その反応至適ｐＨなどであり得る。クロシン−加水分解酵素混合液の温度は、加水分解酵素の反応至適温度に合わせて設定されることが好ましい。クロシン−加水分解酵素混合液の温度は、製造設備、製造条件などに合わせて任意に設定され得る。クロシン−加水分解酵素混合液の温度は、例えば、使用する加水分解酵素の反応至適温度±１０℃の範囲、その反応至適温度±５℃の範囲、その反応至適温度などであり得る。加水分解を行う時間は任意に設定され得る。加水分解酵素によって加水分解を行う時間は、加水分解が完了されるまでであり、例えば、約３０分以上、約４５分以上、約１時間以上などであり得、例えば、約３時間以下、約２．５時間以下、約２時間以下などであり得る。クロシン−加水分解酵素混合液を所定の時間攪拌／静置することによりこのクロシン−加水分解酵素混合液中のクロシンが加水分解されてクロセチンとなり、クロセチン含有混合液が得られる。
【００７５】
（２．３  １３−シス−クロセチンおよびオール−トランス−クロセチンを含有する混合物からのオール−トランス−クロセチンの除去および１３−シス−クロセチンの回収）
クロシンの加水分解によってクロセチンが形成された後、加水分解後のクロセチン含有混合液は、酸と混合することにより酸性にされてクロセチンを析出させる。クロシンの加水分解が酸によって行われる場合、クロシンは酸性水溶液に溶解するがクロセチンは酸性水溶液に溶解しないので、クロシンの加水分解によってクロセチンが形成されるのに伴ってクロセチンが析出する。そのため、加水分解工程がこの析出工程として作用し得る。
【００７６】
酸としては、従来公知の任意の酸を使用することができ、好ましくは食品または食品製造に使用可能な酸を使用する。使用され得る酸の例としては、無機酸（例えば、塩酸、硫酸、リン酸など）および有機酸（例えば、クエン酸、酢酸など）が挙げられる。析出の際の混合液のｐＨは、好ましくは約１．０以上であり、さらに好ましくは約２．０以上であり、最も好ましくは約２．８以上である。析出の際の混合液のｐＨは、好ましくは約５．０以下であり、さらに好ましくは約４．０以下であり、最も好ましくは約３．２以下である。析出を行う温度および時間は任意に設定され得る。例えば、析出の際の混合液の温度は、好ましくは約０℃以上であり、より好ましくは約４℃以上である。析出の際の混合液の温度は、好ましくは約３０℃以下であり、最も好ましくは約２０℃以下である。析出を行う時間は、好ましくは約１０秒間以上であり、さらに好ましくは約１分間以上である。析出を行う時間は一般に、好ましくは約１時間以下であり、より好ましくは約３０分間以下であり、最も好ましくは約５分間以下である。
【００７７】
析出したクロセチン含有固体は、濾紙、フィルターなどによる濾別、遠心分離などにより液体から分離される。濾紙などにより分離した場合、濾紙などの上にクロセチンケーキが形成される。フィルター濾過は、フィルタープレスによって行われてもよい。
【００７８】
クロシン含有原料としてクチナシ果実を用いる場合、分離されたクロセチン含有固体（本明細書中では「１３−シス−クロセチンおよびオール−トランス−クロセチンを含有する混合物」ともいう）は、オール−トランス−クロセチンおよび１３−シス−クロセチンを含む。分離されたクロセチン含有固体はさらに、酸、中和塩および原料由来の不純物などを含むことが多い。そのため、分離されたクロセチン含有固体は、水で洗浄され得る。分離されたクロセチン含有固体は、好ましくは酸が実質的になくなるまで水で洗浄される。この際に使用する水の量は、１３−シス−クロセチンが過度に溶出しない程度に少量であることが好ましい。例えば、洗浄に使用する水の量は、分離されたクロセチン含有固体の体積の約１０倍以下であることが好ましく、約５倍以下であることがより好ましく、約３倍以下であることが最も好ましい。
【００７９】
次いで、分離されたクロセチン含有固体（水で洗浄したものであっても、そうでなくてもよい）をアルカリ条件下で溶解してクロセチン含有混合溶液を調製する。例えば、クロセチン含有固体を水に分散し、ついでアルカリと混合してアルカリ性にすることにより、クロセチン含有混合溶液（第二のクロセチン含有アルカリ性混合液ともいう）が得られる。あるいは、クロセチン含有固体をアルカリ性水溶液に分散することによってクロセチン含有混合溶液を調製してもよい。クロセチン含有混合溶液のｐＨは、好ましくは約１１．０以上であり、最も好ましくは約１２．０以上である。クロセチン含有混合溶液のｐＨは、好ましくは約１４．０以下であり、最も好ましくは約１３．０以下である。このクロセチン含有混合溶液中でクロセチンが充分に溶解したら次の工程を行う。この工程においては、オール−トランス−クロセチンおよび１３−シス−クロセチンの両方がクロセチン含有混合溶液に溶解する。
【００８０】
次いで、クロセチン含有混合溶液のｐＨをｐＨ７．０〜８．０に調整することによりオール−トランス−クロセチンを析出させる。例えば、クロセチン含有混合溶液と酸とを混合して、クロセチン含有混合液のｐＨを弱アルカリ性にすることによりオール−トランス−クロセチンを析出させる。このとき、ｐＨは、好ましくは約７．２以上に、さらに好ましくは約７．４以上に、特に好ましくは約７．５以上に調整され；ｐＨは、好ましくは約７．９以下に、さらに好ましくは約７．７に調整される。オール−トランス−クロセチンの析出を行う温度および時間は任意に設定され得る。例えば、析出の際の混合液の温度は、好ましくは約０℃以上であり、より好ましくは約４℃以上であり、特に好ましくは約１０℃以上である。析出の際の混合液の温度は、好ましくは約３０℃以下であり、最も好ましくは約２０℃以下である。析出の際の混合液の温度が低いほど析出は促進される。そのため、溶媒の温度は出来る限り低いことが好ましい。析出を行う時間は、好ましくは約１０秒間以上であり、さらに好ましくは約１分間以上である。析出を行う時間は一般に、好ましくは約１時間以下であり、より好ましくは約３０分間以下である。この弱アルカリ条件では、オール−トランス−クロセチンの多くは析出するが、１３−シス−クロセチンの多くは溶解したままである。そのため、析出した固体を除去することにより、オール−トランス−クロセチンに対して１３−シス−クロセチンが濃縮された溶液を得ることができる。
【００８１】
析出したオール−トランス−クロセチン含有固体は、濾紙、フィルターなどによる濾別、遠心分離などにより液体から除去されて１３−シス−クロセチン高含有溶液が得られる。濾紙などにより分離した場合、濾紙などの上にオール−トランス−クロセチン高含有クロセチンケーキが形成される。この際、フィルタープレスによって濾別を促進してもよい。
【００８２】
得られた１３−シス−クロセチン高含有溶液は、そのまま使用されてもよく、または乾燥されて必要に応じて溶媒に溶解されてもよい。１３−シス−クロセチン高含有溶液は、例えば、通風乾燥機、真空乾燥機、噴霧乾燥機、凍結乾燥機などのうちのいずれかを用いて乾燥され得る。このようにして、１３−シス−クロセチン高含有粉末が得られ得る。
【００８３】
上記においては、オール−トランス−クロセチンと１３−シス−クロセチンとの分離を特定のｐＨでの水への溶解度の差を利用して行う方法（ｐＨ調整法ともいう）を記載した。しかし、オール−トランス−クロセチンと１３−シス−クロセチンとの分離は、当該分野で公知の他の方法によって行ってもよい。この分離に使用され得る方法の例としては、例えば、溶媒分配、再結晶、吸着クロマトグラフィー、分配クロマトグラフィーなどが挙げられる。
【００８４】
１３−シス−クロセチン高含有粉末は、１３−シス−クロセチンをより高純度にするためまたはクロセチン以外の不純物（例えば、脂質、ポリフェノール類、糖類など）を除去するためにさらに精製されてもよい。精製方法の例としては、例えば、溶媒分配、膜分画（例えば、限外濾過膜を用いた膜分画）、濾過、遠心分離、再結晶およびクロマトグラフィー（例えば、カラムクロマトグラフィー）などが挙げられる。クロマトグラフィーに使用され得る担体の例としては、ゲル濾過クロマトグラフィー用担体、配位子交換クロマトグラフィー用担体、イオン交換クロマトグラフィー用担体、吸着クロマトグラフィー用担体および分配クロマトグラフィー用担体が挙げられる。
【００８５】
１３−シス−クロセチンは、より高純度になるまで精製されてもよい。例えば、純度が約１０重量％以上になるまで精製されることが好ましく、純度が約２５重量％以上になるまで精製されることがより好ましく、純度が約３０重量％以上になるまで精製されることが特に好ましい。１３−シス−クロセチンの純度は、例えば、約４０重量％以上、約５０重量％以上、約６０重量％以上、約７０重量％以上、約８０重量％以上、約９０重量％以上または約９５重量％以上になるまで精製されてもよい。１３−シス−クロセチンの純度は、例えば、ＨＰＬＣによって決定され得る。
【００８６】
（３．本発明の色素製剤）
本発明の色素製剤は、１３−シス−クロセチンを含む色素製剤であって、オールートランス−クロセチンを含むかまたは含まず、オールートランス−クロセチンを含む場合は、ＨＰＬＣによって分析したときのオールートランス−クロセチンのピーク面積を１とした場合の１３−シス−クロセチンのピーク面積が１以上である。
【００８７】
本明細書においては、「ＨＰＬＣによって分析したときのオールートランス−クロセチンのピーク面積を１とした場合の１３−シス−クロセチンのピーク面積」とは、実施例１に記載のＨＰＬＣと同様の条件で測定した場合のオールートランス−クロセチンのピーク面積を１とした場合の１３−シス−クロセチンのピーク面積をいう。好ましくは、カラムとしてＩｎｅｒｔｓｉｌ  ＯＤＳ−３  ５μｍ  ４．６×２５０ｍｍ（ＧＬサイエンス社製）を使用し、溶媒としてＡ液（１％（ｖ／ｖ）酢酸）およびＢ液（アセトニトリル）を用いて流速１ｍｌ／ｍｉｎで、カラム温度４０℃で０分のときのＢ液の割合が２０％、２０分のときのＢ液の割合が８０％、３０分のときのＢ液の割合が８０％、３０．０１分のときのＢ液の割合が２０％、４０分のときのＢ液の割合が２０％となるようにタイムプログラムし、検出器としてフォトダイオードアレイ（ＰＤＡ）を使用して測定された場合の４１７．０ｎｍの吸光度で作製されるクロマトグラムでのオールートランス−クロセチンのピーク面積を１とした場合の１３−シス−クロセチンのピーク面積をいう。この面積は、１３−シス−クロセチンのピーク面積をオールートランス−クロセチンのピーク面積で除算することにより求められる。この値は、オールートランス−クロセチンの量が少ないほど大きくなる。
【００８８】
ＨＰＬＣによって分析したときのオールートランス−クロセチンのピーク面積を１とした場合の１３−シス−クロセチンのピーク面積は、好ましくは約１以上であり、より好ましくは約１．５以上であり、さらに好ましくは約１．８以上であり、特に好ましくは約２以上であり、最も好ましくは約５以上である。ＨＰＬＣによって分析したときのオールートランス−クロセチンのピーク面積を１とした場合の１３−シス−クロセチンのピーク面積は、１３−シス−クロセチンの純度が高ければ高いほど大きくなるので特に上限はない。この値は、例えば、約１００００以下、約５０００以下、約３０００以下、約２０００以下、約１０００以下、約５００以下、約３００以下、約１００以下などであり得る。なお、現時点で１３−シス−クロセチンのモル吸光係数は不明である。しかし、シス−クロシンのモル吸光係数：トランス−クロシンのモル吸光係数が約６３３５０：約８９０００＝約０．７：１であること（Ｊ．Ａｇｒｉｃ．Ｆｏｏｄ  Ｃｈｅｍ，２００８，５６，１６２７−１６３７）を考慮すると、１３−シス−クロセチンのモル吸光係数もオール−トランス−クロセチンのモル吸光係数よりかなり小さいと考えられる。そのため、オール−トランス−クロセチンのピーク面積と１３−シス−クロセチンのピーク面積とが１：１であったとしても、その量比は１：１ではなく、１３−シス−クロセチンの方がかなり多いと推定される。
【００８９】
一般に、色素製剤の色価は、約５０以上必要である。本発明の色素製剤の色価は、好ましくは約１００以上であり、より好ましくは約２００以上である。本発明の色素製剤の色価は、例えば、約５００以上、約１０００以上、約５０００以上などであってもよい。本発明の色素製剤の色価は、オール−トランス−クロセチンの含有量が充分に低い場合、１３−シス−クロセチンの色価以下である。オール−トランス−クロセチンの方が１３−シス−クロセチンよりもモル吸光係数が大きいと考えられるため、オール−トランス−クロセチンの含有量が多いほど、１３−シス−クロセチンのみを含む場合に比べて色素製剤の色価が高くなる。本発明の色素製剤の色価は、例えば、約３２０００以下、約３００００以下、約１５０００以下、約１００００以下、約５０００以下、約１０００以下などであってよい。
【００９０】
好ましい実施形態では、本発明の色素製剤は、１３−シス−クロセチンを０．０５重量％以上含む。１３−シス−クロセチンの含有量は、好ましくは約０．１重量％以上であり、より好ましくは約０．５重量％以上であり、さらに好ましくは約１重量％以上である。本発明の色素製剤中の１３−シス−クロセチンの含有量は、特定の実施形態では、例えば、約１０重量％以上、約１５重量％以上などであり得る。本発明の色素製剤中の１３−シス−クロセチンの含有量は、例えば、約９０重量％以下、約８５重量％以下、約８０重量％以下、約７５重量％以下、約７０重量％以下、約６０重量％以下、約５０重量％以下、約４０重量％以下、約３０重量％以下などであり得る。
【００９１】
本発明の色素製剤中の１３−シス−クロセチンの含有量は、１３−シス−クロセチンのモル吸光係数が分かれば、オール−トランス−クロセチンのモル吸光係数、ＨＰＬＣでのオール−トランス−クロセチンのピーク面積とのピーク面積比および色価から計算することができる。
【００９２】
好ましい実施形態では、本発明の色素製剤中のオール−トランス−クロセチンの含有量は、好ましくは約１．０重量％以下であり、より好ましくは約０．７重量％以下であり、さらに好ましくは約０．５０重量％以下であり、特に好ましくは約０．４０重量％以下であり、最も好ましくは約０．３５重量％以下である。
【００９３】
（３．１  本発明の固体色素製剤）
本発明の色素製剤は、特定の実施形態では固体製剤である。本発明の固体色素製剤は、例えば、賦形剤を含み得る。賦形剤の例としては、糖、糖アルコール、アラビアガムなどが挙げられる。糖の例としては、デキストリン、乳糖などが挙げられる。
【００９４】
例えば、本発明の製造法によって得た１３−シス−クロセチン高含有溶液に賦形剤を添加してまたは添加せずに乾燥することにより、固体の１３−シス−クロセチン含有色素製剤が調製され得る。乾燥後の固体の色素製剤は、当該分野で公知の方法に従って必要に応じて粉砕されて篩にかけられ得る。賦形剤と１３−シス−クロセチン高含有溶液との混合比率を変更することにより、得られる粉末中の１３−シス−クロセチンの含有量を調整することができる。
【００９５】
（３．２  本発明の液体色素製剤）
本発明の色素製剤は、特定の実施形態では液体製剤である。本発明の液体色素製剤の溶媒は、好ましくは水を含む。溶媒は好ましくは含水アルコールまたは水であり、より好ましくは含水エタノールまたは水である。
【００９６】
本発明の液体色素製剤中の溶媒の割合は、例えば、約８５重量％以上、約９０重量％以上、約９５重量％以上などであり得る。本発明の液体色素製剤中の溶媒の割合は、例えば、約９９．５重量％以下、約９９重量％以下、約９８重量％以下、約９７重量％以下、約９６重量％以下、約９５重量％以下などであり得る。
【００９７】
本発明の液体色素製剤は、色および味に悪影響を過度に及ぼさない限り、植物原料に由来する不純物を含み得る。本発明の方法に従って製造した１３−シス−クロセチン高含有クロセチン濾液およびその粉末は、ある程度の不純物を含み得るが、色および味には悪影響がほとんどない。そのため、本発明の液体色素製剤は、このような不純物の除去のためにコストをかける必要がなく、安価でかつ容易に作製され得る。
【００９８】
本発明の液体色素製剤は、本発明の方法に従って製造した１３−シス−クロセチン高含有クロセチン粉末を得て、この粉末を溶媒に溶解させることにより製造され得る。
【００９９】
本明細書中では、「液体色素製剤」とは、色素を含有し着色のために使用される液体組成物をいう。本発明の液体色素製剤は、オール−トランス−クロセチンおよび溶媒以外に当該分野で通常液体色素製剤に使用され得る他の物質を含み得る。このような物質としては例えば、保存剤、酸化防止剤、ｐＨ調整剤、甘味料、食品素材などが挙げられる。
【０１００】
本発明の液体色素製剤は、酸化防止剤を含むことが好ましい。酸化防止剤の例としては、アスコルビン酸、アスコルビン酸ナトリウム、酵素処理ルチン、ローズマリー抽出物、緑茶抽出物、クロロゲン酸などが挙げられる。酸化防止剤としてアスコルビン酸ナトリウムを使用することが好ましい。本発明の液体色素製剤は、酸化防止剤を含むことにより、安定性が向上し、長期保存した場合の色価の低下が抑制され得る。本発明の液体色素製剤は、酸化防止剤を好ましくは約０．０５重量％以上、より好ましくは約０．１重量％以上含む。本発明の液体色素製剤中の酸化防止剤の含有量は好ましくは約５重量％以下であり、さらに好ましくは約１重量％以下である。本発明の液体色素製剤は、長期保存可能な液体色素製剤であり得る。本発明の液体色素製剤は、例えば、常温にて例えば約３ヶ月以上または約６ヶ月以上保存可能である。
【０１０１】
（４．本発明の１３−シス−クロセチン含有色素製剤の用途）
本発明の１３−シス−クロセチン含有色素製剤および１３−シス−クロセチン含有色素組成物は、従来クチナシ黄色素が用いられていた用途に使用することができる。さらに、本発明の１３−シス−クロセチン高含有色素製剤および１３−シス−クロセチン含有色素組成物は、従来クロセチン色素製剤（すなわち、オール−トランス−クロセチン）を用いることができなかった用途に使用することができる。従来クロセチン色素製剤を用いることができなかった用途の例としては、中性の飲食品が挙げられる。
【０１０２】
本発明の色素製剤および色素組成物が使用され得る飲食品は、固形食品、クリーム状またはジャム様の半固形食品、ゲル状食品、飲料などあらゆる食品形態をとることが可能である。飲食品の例としては、麺類（例えば、中華麺、カップ麺、チルド麺など）、飲料（例えば、中性飲料（例えば、中性乳飲料）、菓子類（例えば、クッキー、アメ、ガム、洋菓子、菓子パン、チョコレート、グミ、ゼリー菓子）、フラワーペースト、ケーキ用スポンジ、パン生地、ヨーグルト、アイスクリーム、プリン、マーガリン、ショートニング、マヨネーズおよびドレッシングなどが挙げられる。上記飲食品は、健康食品であってもよい。本発明の色素製剤および色素組成物は、例えば、小麦粉や澱粉を主体とする、ｐＨがアルカリ性でない食品に使用される。小麦粉を主体とする、ｐＨがアルカリ性でない食品の例としては、フラワーペースト（パンの間に挟むようなクリーム）、ケーキ用スポンジ、パン生地などが挙げられる。好ましい中性飲食品の例としては、乳飲料、アイスクリーム、シャーベットなどが挙げられる。
【０１０３】
本発明の飲食品が中性飲料である場合、この中性飲料は、チルドタイプのものであり得る。
【０１０４】
本発明の色素製剤および色素組成物が使用され得る飲食品は、好ましくは中性の飲食品である。本明細書中で用語「中性」とは、ｐＨ６〜８をいう。中性の飲食品のｐＨは、好ましくは約６．５以上であり、さらに好ましくは約６．７以上であり、最も好ましくは約６．９以上である。中性の飲食品のｐＨは、好ましくは約７．５以下であり、さらに好ましくは約７．３以上であり、最も好ましくは約７．１以上である。
【０１０５】
本発明の色素製剤を飲食品または飲食品原料と混合して着色を行うことにより、着色された飲食品を製造することができる。
【０１０６】
特定の実施形態では、本発明の色素製剤および色素組成物が使用され得る飲食品は、上記クロセチンもしくはその塩をそのまま、あるいは他の飲食可能な添加物、食品素材、食品原料、さらに必要に応じて食品添加物などを適宜混合し、常法に従って飲食品として製造され得る。飲食品が健康食品の場合、健康食品は、例えば液剤、散剤、顆粒剤、錠剤、マイクロカプセル、ソフトカプセルまたはハードカプセルなどの剤形であり得る。１３−シス−クロセチンまたはその塩を主成分とする油脂組成物、Ｏ／Ｗ型乳化液、Ｗ／Ｏ型乳化液または可溶化液などのクロセチン含有組成物を常法に従って製造し、この１３−シス−クロセチン含有組成物を飲食品に添加して本発明の飲食品を製造してもよい。
【０１０７】
飲食品への本発明の色素製剤の添加量は、色素製剤が通常使用される量と同じであってもよく、従来より少なくてもよい。例えば、本発明の色素製剤の添加量は、純度１００重量％の１３−シス−クロセチンに換算して、飲食品の重量全体に対して約０．００００１重量％以上、約０．００００５重量％以上、約０．０００１重量％以上、約０．０００５重量％以上、約０．００１重量％以上、約０．００５重量％以上、約０．０１重量％以上、約０．０５重量％以上、約０．１重量％以上、約０．５重量％以上、約１重量％以上などであり得る。本発明の色素製剤の添加量は、純度１００重量％の１３−シス−クロセチンに換算して、飲食品の重量全体に対して約１０重量％以下、約５重量％以下、約１重量％以下、約０．５重量％以下、約０．１重量％以下、約０．０５重量％以下、約０．０１重量％以下、約０．０００５重量％以下、約０．０００１重量％以下、約０．００００５重量％以下、約０．００００１重量％以下などであり得る。
【実施例】
【０１０８】
以下の実施例などにおいて色価（Ｅ１０％、１ｃｍ）を測定する場合、『化学的合成品以外の食品添加物  自主規格（第二版）』、日本食品添加物協会編、「クチナシ黄色素」を参考にして、色価を測定した：
（色価測定方法）
測定する吸光度が０．３〜０．７の範囲になるように、試料を精密に量り、Ｋｏｌｔｈｏｆｆ氏緩衝液（５０ｍＭ  Ｎａ２ＣＯ３−５０ｍＭ  Ｎａ２Ｂ４Ｏ７，ｐＨ１０．０）に溶かして正確に５００ｍｌとする。溶解しにくい場合は、超音波処理により溶解する。その１０ｍｌを正確に量り、Ｋｏｌｔｈｏｆｆ氏緩衝液（５０ｍＭ  Ｎａ２ＣＯ３−５０ｍＭ  Ｎａ２Ｂ４Ｏ７，ｐＨ１０．０）を加えて５０ｍｌとし、試験溶液とする。Ｋｏｌｔｈｏｆｆ氏緩衝液（５０ｍＭ  Ｎａ２ＣＯ３−５０ｍＭ  Ｎａ２Ｂ４Ｏ７，ｐＨ１０．０）を対照とし、液層の長さ１ｃｍで４２０ｎｍ付近の極大吸収部における吸光度Ａを測定し、次式により色価を求める。
【０１０９】
【数２】
2011168649.tif 000007
【０１１０】
以下の実施例においては、実施例１に記載の製法を用いて、１３−シス−クロセチン高含有クロセチン粉末を得た。
【０１１１】
（実施例１：１３−シス−クロセチン高含有クロセチン粉末の製法）
乾燥クチナシ果実２５００ｇに５０％（ｖ／ｖ）エタノール水溶液２５０００ｇを加え、６０℃で１時間撹拌し抽出した。残渣に再度５０％（ｖ／ｖ）エタノール水溶液を適量添加して二次抽出し、あわせてクロシン含有抽出液とした。得られたクロシン含有抽出液を減圧濃縮し、色価５００のクロシン含有濃縮抽出液を得た。色価５００のクロシン含有濃縮抽出液４５０ｇを水２０５０ｇで希釈して色価９０のクロシン含有液２５００ｇとした。そのクロシン含有液に１０％水酸化カリウム水溶液を添加し、ｐＨ１２．０に調整した。そのまま３５℃で２０時間攪拌することにより、クロシンを加水分解しクロセチン化した。その後、濃塩酸を添加しｐＨ３．０に調整して６０分間攪拌することによりクロセチンを析出させた。析出したクロセチンをフィルタープレスにより粗クロセチンケーキとして回収した。この粗クロセチンケーキを酸がなくなるまで水洗した。水洗後のクロセチンケーキ５０ｇを水５００ｇに分散し、１０％水酸化カリウム水溶液を添加してｐＨ１２．０に調整して３０分間攪拌することによりクロセチンケーキを溶解させてクロセチン含有アルカリ性混合液を得た。このクロセチン含有アルカリ性混合液へ濃塩酸を添加し、ｐＨ７．０〜８．０に調整する（この時点「段階ａ」のｐＨを振った結果を以下の表３にまとめる。）ことによりクロセチン含有弱アルカリ性混合液を得た。調整したクロセチン含有弱アルカリ性混合液をすみやかに再度フィルタープレスで濾過し、１３−シス−クロセチン高含有濾液を得た。この時点のケーキはトランス−クロセチン高含有ケーキであり、このケーキを乾燥して粉砕することにより、トランス−クロセチン高含有クロセチン粉末を得ることができた。１３−シス−クロセチン高含有濾液に塩酸を添加し、ｐＨ３．０に調整して析出させた。フィルタープレスにより得られたケーキを乾燥して１３−シス−クロセチン高含有クロセチン粉末を得た。
【０１１２】
これらの各条件で製造された１３−シス−クロセチン高含有クロセチン粉末の色価Ｅ（１０％，１ｃｍ）を、ＨＩＴＡＣＨＩ社製の吸光光度計Ｕ−３３１０によって測定した。結果を以下の表３に示す。さらに、これらの粉末を高速液体クロマトグラフィー（ＨＰＬＣ）によって分析することにより、オール−トランス−クロセチンと１３−シス−クロセチンとの比（本明細書中では、「トランス：シスの比」または「トランス：シス」ともいう）、１３−シス−クロセチンの収率および純度を決定した。ＨＰＬＣの測定条件は以下の通りであった：
【０１１３】
【表２】
2011168649.tif 000008
【０１１４】
段階ａでのｐＨが７．５の場合のクロセチン粉末についてのＨＰＬＣチャートを図１に示す。ピーク１はオール−トランス−クロセチンであり、ピーク２は１３−シス−クロセチンである。段階ａのｐＨは７．７が最も好ましく、それを用いた最終１３−シス−クロセチン高含有クロセチン粉末の結果は、収量５．０ｇ、色価７６７５、トランス：シス＝１５：８５であった（以下、この段階ａのｐＨが７．７のときの粉末を「実施例１のクロセチン粉末」ともいう。）。
【０１１５】
本方法で得られた１３−シス−クロセチン高含有クロセチン粉末は、食品添加物公定書に記載される、クチナシ黄色素の確認試験・純度試験の全てに合格した。
【０１１６】
【表３】
2011168649.tif 000009
【０１１７】
ピーク１の化合物がオール−トランス−クロセチンであることおよびピーク２の化合物が１３−シス−クロセチンであることは、これらのピーク画分をそれぞれ分取し、ＮＭＲＭＳ、ＵＶスペクトル等の機器分析によって構造解析することによって確認された。ピーク２の化合物を分取し、上記と同じＨＰＬＣ測定条件で再度測定したところ、トランス：シス＝０．９：９９．１であり、シス／トランスは約１００倍であった。結果を図２に示す。
【０１１８】
それぞれのピークの化合物の分析の際のＮＭＲの条件は以下のとおりであった：１Ｈスペクトルは６００ＭＨｚ、１Ｈで測定；１３Ｃスペクトルは１５０ＭＨｚ、１３Ｃで測定；溶媒：ジメチルスルホキシド−ｄ６（ＤＭＳＯ−ｄ６）、スペクトルの単位はｐｐｍであり、プロトンの数、多重度、カップリング定数（単位はヘルツ）は括弧内に示される。１３−シス−クロセチンの１Ｈ、１３Ｃ  ＮＭＲでのスペクトルデータを以下の表４に示す。
【０１１９】
【表４】
2011168649.tif 000010
【０１２０】
（実施例２．液体色素製剤の製造）
実施例１で製造された１３−シス−クロセチン高含有クロセチン粉末０．８ｇとエタノール４９．２ｇと水５０ｇとを混合してクロセチン粉末を溶解させた後、１０％水酸化ナトリウム水溶液でｐＨ６．８に調整し、濾紙（ＡＤＶＡＮＴＥＣ  Ｎｏ．５Ｃ）で濾過し、１３−シス−クロセチン高含有液体製剤を得た。この液体製剤の色価Ｅ（１０％，１ｃｍ）を吸光度計によって測定した。その結果、この１３−シス−クロセチン高含有液体製剤の色価Ｅ（１０％，１ｃｍ）は６０であった。この液体製剤は実施例１で製造されたクロセチン粉末を使用しているため、トランス：シス＝１５：８５である。この液体製剤は、粉末製剤を使用するよりも、最終商品での混合が容易であり、製造現場で粉舞いが無く取扱いが簡便であるという利点を有する。
【０１２１】
（実施例３．液体色素製剤の安定性試験）
実施例２で製造された液体色素製剤の安定性を評価した。実施例２で製造された液体色素製剤に対して（１）無添加（実施例３−１）、または（２）アスコルビン酸Ｎａを０．１重量％になるように添加するか（実施例３−２）、によりそれぞれの製剤を作製し、冷蔵または５５℃にて７日間保管した。作製直後、保管４日後および７日後に液体部分の色価を測定し、および沈殿の有無を目視で評価した。結果を以下の表５に示す。
【０１２２】
【表５】
2011168649.tif 000011
【０１２３】
この結果、無添加の場合もアスコルビン酸Ｎａを添加した場合もいずれも、本発明の液体色素製剤は冷蔵で７日間保管後にほとんど色価が低下せず、液体製剤として充分に安定であることがわかった。さらにアスコルビン酸Ｎａを０．１％重量添加した液体製剤を５５℃にて７日間保管した後も大きな色価の低下は見られなかった。５５℃で７日間の保管条件は、通常、当該分野では常温半年相当の保管条件と考えられている。そのため、アスコルビン酸Ｎａのような酸化防止剤を添加することにより本発明の液体色素製剤は長期間保管が可能であることが分かった。また、いずれのサンプルでも沈殿を起さなかった。よって本発明の液体色素製剤は、クロセチン色素の液体製剤として好適に使用可能であることがわかった。
【０１２４】
（実施例４．５０％エタノール水への溶解度試験）
実施例１で製造された１３−シス−クロセチン高含有クロセチン粉末、またはその粉末の製造の際に得られたオール−トランス−クロセチン高含有ケーキを乾燥粉砕することによって得られたオール−トランス−クロセチン高含有クロセチン粉末のいずれかをサンプルとして使用した。サンプル（１３−シス−クロセチン高含有クロセチン粉末は０．１００ｇ；オール−トランス−クロセチン高含有クロセチン粉末は０．０２９５ｇ）を精密に測り取って容器に入れ、そこに５０％（ｖ／ｖ）エタノール水溶液１０ｍｌを加えた。この容器をウォーターバスで６０℃に加温して約１０分間保持してサンプルを溶解させた。その後この容器を水冷し常温（２０℃程度）まで冷却した。冷却後の液体を３０００ｒｐｍで１０分間遠心分離し、不溶分を沈殿させた後、上清を０．２μｍメンブランフィルターに通して濾液を得た。この濾液の色価を測定した。結果を以下の表６に示す。
【０１２５】
【表６】
2011168649.tif 000012
【０１２６】
このように、１３−シス−クロセチン高含有クロセチン粉末は、５０％エタノール水溶液への溶解度がオール−トランス−クロセチン高含有粉末よりも約１６．３倍高いことがわかった。１３−シス−クロセチン高含有クロセチン粉末を使用した場合の色価は６１．８と高く、色素製剤として十分に使用され得るレベルであることが確認された。それに対して、オール−トランス−クロセチン高含有粉末を使用した場合の色価は３．８と非常に低く、色素製剤として使用できないレベルであることが確認された。
【０１２７】
（実施例５．着色実験１：小麦粉着色試験）
実施例１と同様にして段階ａのｐＨをｐＨ７．６にして製造された１３−シス−クロセチン高含有クロセチン粉末（トランス：シス＝２０：８０）、またはその粉末の製造の際に得られたオール−トランス−クロセチン高含有ケーキを乾燥粉砕することによって得られたトランス−クロセチン高含有粉末（トランス：シス＝９５：５）、クロシン色素製剤（グリコ栄養食品株式会社製；商品名クチナカラー１６００Ｐ)のいずれかを色素サンプルとして使用した。
【０１２８】
色素サンプルを水に添加して混合し、色価Ｅ（１０％，１ｃｍ）４５０換算の１％色素混合液を得た。このとき、サンプルは、水に溶解もしくは分散した。その色素混合液２５ｇを小麦粉５０ｇと粉末かん水０．６ｇとの混合物に滴下しながら捏ね、小麦粉（粉末かん水入り）のクチナシ色素着色物を得た。同様に粉末かん水を添加しない系でも着色物を作製した。
【０１２９】
それぞれのクチナシ色素着色物（すなわち、着色サンプル）を目視および色差計にてＬ，ａ，ｂ値を測定し、色調を確認した。結果を以下の表７に示す。
【０１３０】
【表７】
2011168649.tif 000013
【０１３１】
これらの着色試験の写真を図４に示す。上記の結果から、オール−トランス−クロセチン高含有粉末を用いた試験では、粉末かん水添加時はクロセチン特有のレモンイエローを示していたが、粉末かん水無添加ではオレンジ色に変色した。一方１３−シス−クロセチン高含有クロセチン粉末は、粉末かん水の有無を問わずクロセチン特有のレモンイエローに着色する事が可能であった。クロシン色素製剤は粉末かん水の有無で色調変化は無いが、赤みのある黄色でありクロセチン特有のレモンイエローとは異なる色調である。
【０１３２】
このように、粉末かん水条件下では、１３−シス−クロセチン高含有クロセチン粉末はオール−トランス−クロセチン高含有クロセチン粉末同様に緑みのある黄色（レモンイエロー）の色調を示す。粉末かん水なし（ｐＨ６程度）の条件では、オール−トランス−クロセチン高含有クロセチン粉末は緑みのある黄色を呈することが出来ないが１３−シス−クロセチン高含有クロセチン粉末はアルカリ条件同様の緑みのある黄色を呈する。推測であるがオール−トランス−クロセチン高含有クロセチン粉末がオレンジ色になるのは、クロセチンが溶解していない為である。
【０１３３】
つまり、本発明の１３−シス−クロセチン高含有クロセチン粉末は、粉末かん水なしの中性域に近い弱酸性条件でも、クロセチン特有の好ましいレモンイエローを呈することが出来、これは、クロシンともあきらかに異なる色調である。
【０１３４】
（実施例６．着色試験２：牛乳着色試験）
種々の黄色色素を使用した場合の中性領域での色調を比較する為に牛乳着色試験を行った。この牛乳着色試験は、チルドの乳飲料を想定している。
【０１３５】
市販の牛乳１００ｇ（ｐＨ６．８）に各黄色色素サンプルを色価Ｅ（１０％，１ｃｍ）５０換算で１ｇ添加して混合することにより、牛乳を黄色に着色した。この時点で試験１同様に目視および色差計にて、着色した牛乳の色調を確認した。
【０１３６】
さらにクチナシ青色素（グリコ栄養食品株式会社製；商品名クチナブルーカラー１２５０ＰＳ；色価Ｅ（１０％，１ｃｍ）２５０）を黄色着色牛乳１００ｇに対して０．００５ｇ添加し、緑色に着色した。再度、試験１同様に目視および色差計にて、この緑色に着色した牛乳の色調を確認した。使用した黄色色素サンプルは以下の通りであり、結果を表８に示す。
【０１３７】
使用した黄色色素サンプル：
（ａ）マリーゴールド色素製剤：色価Ｅ（１０％，１ｃｍ）４００；試作品
（ｂ）クロシン色素製剤：色価Ｅ（１０％，１ｃｍ）４１０；グリコ栄養食品株式会社製商品名クチナカラー１６００Ｐ
（ｃ）１３−シス−クロセチン含有色素製剤：色価Ｅ（１０％，１ｃｍ）５０；実施例２で作製した液体色素製剤を水で１．２倍に希釈したもの
（ｄ）オール−トランス−クロセチン含有色素製剤：色価Ｅ（１０％，１ｃｍ）５０；実施例１で作製した１３−シス−クロセチンの製造の際に得られたオール−トランス−クロセチン高含有ケーキを乾燥粉砕することによって得られたトランス−クロセチン高含有粉末を水で９倍に分散希釈したもの
（ｅ）紅花色素製剤：色価Ｅ（１０％，１ｃｍ）１９５；ＢＩＯＮＡＴＵＲＥ社製商品名Ｃａｒｔｈａｍｕｓ  Ｙｅｌｌｏｗ  Ｃｏｌｏｒ。
【０１３８】
【表８】
2011168649.tif 000014
【０１３９】
（１２）以外のこれらの着色試験の結果を図３に示す。（１）は、黄色のみでマリーゴールド色素製剤を添加した場合であり、（２）は、黄色のみでクロシン色素製剤を添加した場合であり、（３）および（１０）は、黄色のみで１３−シス−クロセチン色素製剤を添加した場合であり、（９）は、黄色のみでオール−トランス−クロセチン色素製剤を添加した場合であり、（４）は、黄色のみで紅花色素製剤を添加した場合であり、（５）は、マリーゴールド色素製剤に加えて青色を添加した場合であり、（６）は、クロシン色素製剤に加えて青色を添加した場合であり、（７）は、１３−シス−クロセチン色素製剤に加えて青色を添加した場合であり、（８）は、紅花色素製剤に加えて青色を添加した場合である。（１１）は牛乳のみの場合である。（１）〜（８）と（９）〜（１１）は別々に実験を行った。
【０１４０】
黄色のみの試験では、目視にて、マリーゴールド色素製剤およびクロシン色素製剤は赤みのある黄色に分類され、１３−シス−クロセチン含有色素製剤と紅花色素製剤は、緑みのある色素に分類された。さらに紅花色素製剤は、牛乳着色において、１３−シス−クロセチン含有色素製剤と同じ色価で使用したにもかかわらず、１３−シス−クロセチン含有色素製剤よりも着色が薄く感じられた。よって、嗜好性の問題であるが、例えばバニラやバナナミルクのイメージには、レモンイエローを呈し、且つ紅花色素よりも発色が良い１３−シス−クロセチン含有色素製剤を使用することが好ましい。オール−トランス−クロセチン色素製剤は溶解せず、オレンジ色の微粒子が分散している状態であり、溶解したクロセチン特有のレモンイエローを示さなかった。
【０１４１】
青色添加試験において、マリーゴールド色素製剤はくすみのある黄緑色を呈し、クロシン色素製剤は黄みが強く少し暗い黄緑色であった。青色素添加量をさらに増やせば緑みを強くすることは出来るが、全体の色素添加量が多くなると暗みがまし、またコストアップとなる。１３−シス−クロセチン含有色素製剤と紅花色素製剤は、ともに好ましい黄緑色を呈したが、紅花色素製剤は白みがありメロンミルク風であり若干薄く見える。１３−シス−クロセチン含有色素製剤は発色の良い黄緑色で抹茶ミルク風であった。
【０１４２】
よって、本発明の１３−シス−クロセチン含有色素製剤は中性域でクロセチン特有のレモンイエローを呈することが出来る色素として有用であり、これは他の黄色色素と比較しても特徴的である。
【０１４３】
（実施例７：１３−シス−クロセチン高含有粉末色素製剤の製造）
６０℃温水４００ｇにデキストリン８２ｇを溶解し、ＴＫホモミクサー（プライミクス  プラス株式会社製）にて１００００ｒｐｍで撹拌しながら、段階ａのｐＨがｐＨ７．７の場合の実施例１の工程中で得られる、１３−シス−クロセチン高含有クロセチンケーキ（色価約２５００）１８ｇを投入し分散液を得た。この分散液をスプレードライにより粉末化し、１３−シス−クロセチン高含有クロセチン粉末色素製剤を得た。この粉末色素製剤の色価を測定したところ、色価４５０であった。
【０１４４】
（比較例７：オール−トランス−クロセチン高含有粉末色素製剤の製造）
６０℃温水４００ｇにデキストリン９４．３ｇを溶解し、ＴＫホモミクサー（プライミクス  プラス株式会社製）にて１００００ｒｐｍで撹拌しながら、段階ａのｐＨがｐＨ７．７の場合の実施例１の工程中で得られる、オール−トランス−クロセチン高含有ケーキ（色価約８０００）５．７ｇを投入し分散液を得た。この分散液をスプレードライにより粉末化し、オール−トランス−クロセチン高含有粉末色素製剤を得た。この粉末色素製剤の色価を測定したところ、色価４５０であった。
【０１４５】
（実施例８．着色試験３：ＬＬ中華麺着色試験）
あらかじめプレミックスしておいた強力粉９００ｇとでん粉１００ｇ（グリコ栄養食品株式会社製、商品名：ケミスター２２０）およびグルテン３０ｇ（グリコ栄養食品株式会社製、商品名：Ａ−グル  ＷＰ）をミキサーに入れ、これに粉末かんすい１０ｇ、食塩１０ｇと、実施例７で製造したシス−クロセチン高含有色素製剤（色価４５０）１ｇを水３９０ｍｌに溶解した練り水をむらなく加え、よく混合した。
【０１４６】
できたそぼろ生地を複合ロール機にて帯状にして、その後圧延機にて最終麺厚１．４ｍｍの麺帯とし、切刃１８番角、麺長２５ｃｍで切り出した。
【０１４７】
得られた麺線を２００ｇに分け熱湯にて茹でた後、流水ですすいで冷却した。この麺は好ましい黄色の麺であった。この麺を２％乳酸溶液に１分間浸漬した後、乳酸溶液をよくきり、１１０ｇずつパウチ袋に密封し、９０℃、３０分間スチーマーにて蒸気殺菌した。これを冷却してロングライフ（ＬＬ）中華麺とした。得られたＬＬ中華麺は好ましい黄色の麺であった。このことから、本発明のシス−クロセチン高含有色素製剤が中華麺およびＬＬ中華麺に好適に使用できることが確認できた。
【０１４８】
（実施例９．着色試験４：フラワーペースト）
グラニュー糖２５．１７ｇ、脱脂粉乳３．９５ｇ、加工澱粉（グリコ栄養食品社製：商品名ケミスター４２０）６．９１ｇ、クエン酸０．４４ｇ、および下記色素製剤（１）または（２）０．０５ｇを均一に混合した後、４０℃まで加熱しておいた油脂６．９１ｇと水６９．１１ｇを添加し６０℃で加熱攪拌溶解した。その後全体量が１００ｇになるように加水調整した後、容器に充填し冷却した。１日冷蔵後の色調を色差計にて測定した。
【０１４９】
使用した色素製剤：
（１）実施例７で作製した１３−シス−クロセチン高含有色素製剤（色価４５０）
（２）比較例７で作製したオール−トランス−クロセチン高含有色素製剤（色価４５０）。
【０１５０】
結果、１３−シス−クロセチン高含有色素製剤を使用したフラワーペーストは、クロセチン特有のレモンイエローを示したが、オール−トランス−クロセチン高含有色素製剤を使用したフラワーペーストはクロセチンが発色せず、薄いオレンジ色を示した。結果を表９および図５に示す。
【０１５１】
【表９】
2011168649.tif 000015
【０１５２】
このように、本発明の色素製剤は、食品に添加する際に非常に使用し易く、さらに発色がよいという顕著な効果を有する。
【０１５３】
（実施例１０：１３−シス−クロセチン高含有粉末色素製剤の製造）
実施例１の段階ａのｐＨがｐＨ７．７の場合の１３−シス−クロセチン高含有クロセチンケーキの代わりに実施例１と同様にして段階ａのｐＨをｐＨ７．０にして製造された１３−シス−クロセチン高含有クロセチン粉末を使用して、実施例７と同様にして１３−シス−クロセチン高含有クロセチン粉末色素製剤を得た。この１３−シス−クロセチン高含有クロセチン粉末は、トランス：シス＝４０：６０であった。
【０１５４】
すなわち、６０℃温水４００ｇにデキストリン８２ｇを溶解し、ＴＫホモミクサー（プライミクス  プラス株式会社製）にて１００００ｒｐｍで撹拌しながら、段階ａのｐＨがｐＨ７．７の場合の実施例１の工程中で得られる、１３−シス−クロセチン高含有クロセチンケーキ（色価約２５００）１８ｇを投入し分散液を得た。この分散液をスプレードライにより粉末化し、１３−シス−クロセチン高含有クロセチン粉末色素製剤を得た。この粉末色素製剤の色価を測定したところ、色価４５０であった。
【０１５５】
（実施例１１．着色試験４：フラワーペースト）
実施例７で作製した１３−シス−クロセチン高含有色素製剤の代わりに実施例１０で製造した１３−シス−クロセチン高含有色素製剤を使用して、実施例９と同様にしてフラワーペーストを作製した。その結果、１日冷蔵後のフラワーペーストの色調は、実施例９と同様に、クロセチン特有のレモンイエローを示した。このことから、トランス：シス＝５０：５０であっても、従来のオール−トランス−クロセチン高含有色素製剤と異なり、オレンジ色に発色することなく、クロセチン特有のレモンイエローを発色することができることがわかった。
【０１５６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１５７】
本発明の色素製剤はアルカリ域だけでなく、中性域においてもクロセチンに特有のレモンイエローを発色し得るという顕著な効果を有する。本発明の色素製剤は、アルカリ性飲食品だけでなく、中性飲食品にも良好に使用され得る。
【０１５８】
本発明の液体色素製剤は、粉末色素製剤を使用するよりも、最終商品での混合が容易であり、製造現場で粉舞いが無く取扱いが簡便である。
【図１】
2011168649.tif 000016
【図２】
2011168649.tif 000017
【図３】
2011168649.tif 000018
【図４】
2011168649.tif 000019
【図５】
2011168649.tif 000020